(57)【特許請求の範囲】
【請求項１】
動物用トイレに使用され、液体を内部に浸透させて透液する透水シートであって、
透水性能を有する表面シート及び裏面シートと、
前記表面シートと前記裏面シートとの間に充填され、茶葉又は茶殻の少なくとも一方を含み、１０−３（ｃｍ／秒）以上の透水係数を有する透水材料と、を備え、
前記液体が、前記表面シート、前記透水材料及び前記裏面シートを透過するように構成されていること、を特徴とする透水シート。
【請求項２】
動物用トイレに使用され、液体を内部に浸透させて透液する透水シートであって、
透水性能を有する表面シート及び裏面シートと、
前記表面シートと前記裏面シートとの間に充填され、焙煎コーヒー豆の粉砕物又は焙煎コーヒー豆の抽出残渣の少なくとも一方を含み、１０−３（ｃｍ／秒）以上の透水係数を有する透水材料と、を備え、
前記液体が、前記表面シート、前記透水材料及び前記裏面シートを透過するように構成されていること、を特徴とする透水シート。
【請求項３】
請求項１又は２に記載の透水シートにおいて、
前記表面シートと前記裏面シートとの間には、前記透水材料のみが充填されている透水シート。
【請求項４】
上面に排尿口を有する中空箱型形状である気密性を有する排尿容器と、
前記上面の排尿口を覆うように敷設されている請求項１乃至３の何れかに記載の透水シートと、
前記排尿容器の内部に設けられている吸水処理材と、を備えることを特徴とする動物用トイレ。
【請求項５】
請求項４に記載の動物用トイレにおいて、
前記吸水処理材は、前記透水材料に含有された前記茶葉、前記茶殻、前記焙煎コーヒー豆の粉砕物又は前記焙煎コーヒー豆の抽出残渣を含む動物用トイレ。
【発明の詳細な説明】
【技術分野】
【０００１】
本発明は、排尿等の液体を透液するシート材及び当該シート材を使用した動物用トイレに関する。
【背景技術】
【０００２】
近時、室内での愛玩動物等の飼育が非常に盛んになってきており、排泄物の吸収をするためのペット用のペットシートが提案されている。例えば、従来のペットシートＳ’の一例としては、吸水のためのパルプと抗菌消臭効果を有する粉茶を含む混合物９１を、上下の吸水性紙層部９７，９８の間に挟み、さらにその外側に、上側は透水性の高い不織布９５で覆うとともに、下側は透水性のないビニールシート９６で覆うようにした構造のものが知られている（図６）（参考文献１）。
【先行技術文献】
【特許文献】
【０００３】
【特許文献１】特開２００４−１４１０７７号公報
【発明の概要】
【発明が解決しようとする課題】
【０００４】
しかし、従来のペットシートＳ’は、液体を内部に吸収させることを目的とするものであり、抗菌消臭効果を有する粉茶を含有していても、内部に排尿を保持しているため、廃棄するまでの間、悪臭が生じてしまうとともに、雑菌の繁殖を効果的に防ぐことができないという問題点を有していた。
【０００５】
本発明は、上記の各問題点を解決するためになされたものであり、悪臭及び雑菌の繁殖の防止を可能とした衛生面で優れた透水シートと、当該透水シートを用いた動物用トイレを提供することを目的とする。
【課題を解決するための手段】
【０００６】
上記課題を解決するために、本発明の透水シートは、透水性能を有する表面シート及び裏面シートの間に、透水材料が充填されている透水シートにおいて、上記透水材料は、茶葉又は茶殻の少なくとも一方を含み、１０-3（ｃｍ／秒）以上の透水係数を有していること、を特徴としている。
【０００７】
また、本発明の透水シートは、透水性能を有する表面シート及び裏面シートの間に、透水材料が充填されている透水シートにおいて、上記透水材料は、焙煎コーヒー豆の粉砕物又は焙煎コーヒー豆の抽出残渣の少なくとも一方を含み、１０-3（ｃｍ／秒）以上の透水係数を有していること、を特徴としている。
【０００８】
ここで、茶殻は、緑茶、紅茶、烏龍茶等の茶成分を抽出した後の残渣をいう。
また、焙煎コーヒー豆の抽出残渣は、缶コーヒー、インスタントコーヒー等のコーヒー飲料の製造時（家庭においてコーヒーを抽出する場合も含まれる）等に発生するもの、すなわち、コーヒー抽出液を焙煎コーヒー豆から抽出した際に排出される抽出残渣であり、所謂コーヒー粕と言われるものをいう。
【０００９】
透水係数とは、一般的に、土質工学の分野において、土中の水の流れやすさを示す指標として用いられる指標である。周知の通り、土は、微細な鉱物粒子等の集合体として形成されているものであるが、本発明の透水シートを構成する透水材料も微細な構成材料の集合体であるため土と同質であると考え、その指標により特定を試みたものである。この透水係数は、その値が大きいほど透水しやすいことを示しているが、透水材料を濾材として考え、排尿を当該透水材料中に残留させないためには、砂質土１０-3（ｃｍ／秒）以上の透水性能を有していることが必要であるとして、その透水性能を定めたものである。
【００１０】
本発明の透水シートは、透水性能を有する表面シート及び裏面シートの間に、茶葉或いは茶殻の少なくとも一方（以下、「茶殻等」という。）、又は、焙煎コーヒー豆の粉砕物或いは焙煎コーヒー豆の抽出残渣の少なくとも一方（以下、「コーヒー抽出残渣等」という。）が直接的に設けられている。これらの茶殻等又はコーヒー抽出残渣等は、アンモニア臭の原因を作る黄色ブドウ球菌の繁殖を抑える効果があり、濾材として作用するため、排尿が植物性残渣に付着等した場合であっても、効果的に防臭効果を奏することができる。
ここで、黄色ブドウ球菌に対する抗菌性を有効に発揮させるためには、透水材料の全重量に対して、茶殻等又はコーヒー抽出残渣等が８０重量％以上含まれていることが好適である。
【００１１】
また、上記透水材料は、透水係数が１０-3（ｃｍ／秒）以上と大きいため、排尿をほとんど吸収せず、透過させるだけである。したがって、透水材料中に排尿が残留しないため、この点からも黄色ブドウ球菌の繁殖を抑制することができるとともに、複数回にわたって、繰り返して使用することができる。
【００１２】
さらに、本発明の透水シートは、茶殻等又はコーヒー抽出残渣等を用い、しかも、特段の加工をせずに、それらの材料が表面シート及び裏面シートの間に敷設されているにすぎないため、簡易かつ安価に製造することができる。
【００１３】
加えて、本発明は、上面に排尿口を有する中空箱型形状である気密性を有する排尿容器と、上面の排尿口を覆うように敷設されている本発明の上記透水シートと、上記排尿容器の内部に設けられている吸水処理材と、を備えることを特徴とする動物用トイレを提供するものである。
【００１４】
ここで、上記吸液処理材は、排尿を吸液することができる性質を有するのであれば、粒状の吸液処理体若しくはシート状の吸液処理材等、その種類は問わないものである。
【００１５】
本発明の動物用トイレによれば、排尿容器の上面の排尿口を覆うように上記透水シートが敷設されているため、当該透水シートの奏するメカニズムにより、排尿を浄化することができる。また、排尿容器は気密性を有しており、上記透水シートが上面の排尿口を覆うように敷設されているため、排尿容器の内部から排尿の臭気が発せられた場合でも、当該異臭を効果的に遮断することができるとともに、透水シート自身からも、その構成材料に応じて、コーヒーや茶の芳香が発せられるため香気効果を発することができる。
【００１６】
さらに、上記動物用トイレにおいて、上記吸液処理材は収容部材に収納されるとともに、当該吸液処理材の収容部材が上記排尿容器から取り出し自在に設けられており、上記吸液処理材が取替可能となるように構成されていることとすれば、当該収容部材に収容されている吸液処理材を容易に取り替ることができるため、利便性に優れたものとすることができるため好適である。
【発明の効果】
【００１７】
本発明によれば、悪臭及び雑菌の繁殖の防止を可能とした衛生面で優れた透水シートと、当該透水シートを用いた動物用トイレを提供することができる。
【図面の簡単な説明】
【００１８】
【図１】本発明の透水シートを示す断面図である。
【図２】本発明の動物用トイレ（第１実施形態）の排尿容器を示す斜視図である。
【図３】本発明の動物用トイレ（第１実施形態）を示す斜視図である。
【図４】本発明の動物用トイレ（第１実施形態）の使用後の状態を示す斜視図である。
【図５】本発明の動物用トイレ（第２実施形態）を示す斜視図である。
【図６】従来のペットシートを示す断面図である。
【発明を実施するための形態】
【００１９】
本発明を実施するための一形態（以下、「実施形態」という。）について、図面を参照して詳細に説明する。なお、以下の説明において、同一の部材等には同一の符合を付し、重複した説明を省略する。
【００２０】
（１）透水シート
［透水シートの構成］
図１に示すように、本発明の透水シート（以下、「本透水シート」という。）Ｓは、表面シート５と、裏面シート６と、当該表面シート５と裏面シート６の間に積層された状態で狭持されることにより、その内部に充填されている透水材料３１から形成されている。
【００２１】
表面シート５及び裏面シート６は、透水性能（透水性能）を有している不織布から形成されている所定の厚さのシート材であり、矩形形状に形成されている。この不織布は、ポリプロピレンやレーヨンなどのセルロース系繊維で形成されたスパンレース不織布、前記セルロース系繊維と親水処理された合成樹脂繊維とで形成されたスパンレース不織布等の公知の材料を用いることができる。
【００２２】
裏面シート６の上面には、全面に渡って、所定の厚さとなるように、多量の透水材料３１が敷設されている。
そして、当該裏面シート６は、透水材料３１を構成する層の下面の全面と、当該透水材料３１を構成する層の側面と、その上面の所定幅の口字形状の四周部とを覆い、各透水材料３１を包持するように設けられている。
【００２３】
上記表面シート５は、透水材料３１の上面（裏面シート６の上面の四周部を含む）を覆うように布設されている。この表面シート５の下面と、裏面シート６の四周部は強固に圧着されており、当該表面シート５及び裏面シート６とが一体となり袋体が形成され、当該袋体の内部に多量の透水材料３１を包含することができるようになっている。
【００２４】
本実施形態では、透水材料３１として茶殻のみを構成材料としている。しかし、必ずしも茶殻のみを用いる必要があるわけではなく、当該茶殻の作用を阻害しないものであれば、他の構成材料を含んでもよい。他の構成材料としては、脱臭材料、消臭材料、殺菌作用を有する物質、着色物質などの材料を添加するものであってもよい。また、所望の色の水溶性の着色剤を添加してもよい。
但し、黄色ブドウ球菌に対する抗菌性を有効に発揮させるためには、透水材料の全重量に対して、茶殻を８０重量％以上含んでいることが必要となるものである。
【００２５】
ここで、透水材料３１として、茶殻を用いた理由を説明する。
一般的に、排尿を放置すると黄色ブドウ球菌が繁殖するが、当該黄色ブドウ球菌中には、尿素を分解して二酸化炭素とアンモニアを発生する酵素が存在しており、この酵素によって、排尿からアンモニアが発生し、刺激臭の強い不快なアンモニア臭が発生するものであることが知られている。
そこで、本発明者が研究を重ねたところ、茶殻（茶葉、コーヒー抽出残渣等も同様）と茶殻には黄色ブドウ球菌の発生を防止する作用が存在することを見出し、当該茶殻を使用した透水シートＳを作成したところ、アンモニア臭の発生を防ぐことを確認したものである（実施例参照）。
【００２６】
また、上記透水材料３１の内部を排尿が透過し、極力、残留することを防ぎ、吸水性を有さないように、上記透水係数は、砂質土（10-3ｃｍ／秒）以上の透水性能とすることが必要となる。透水係数は、透水材料を構成する茶殻等の寸法、粒径、圧縮度（含有量）等により異なることになるが、適切な粒度分布となるように形成される必要がある。
【００２７】
［透水シートの作用効果］
続いて、本透水シートＳの作用効果について説明する。
本透水シートＳは、従来のペットシートと異なり、吸液性を有さず、排尿をその内部に透水させる場所に用いるものであり、下記の動物用トイレや、汚水等を浸透させる必要がある場所に敷設することになる。
【００２８】
本透水シートＳの表面シート５の上部から排尿させる。すると、排尿は、表面シート５から内部に浸透し、透水材料３１の内部に浸透したり、隣接する透水材料３１の間隙を流下することになる。そして、その過程で、当該透水材料３１が濾材として作用することにより、不純物が混入している場合には当該不純物をふるい分けしたり、悪臭等を付着・沈着させたりして除去し、排尿を浄化することができる。
透水材料３１を構成する茶殻には、茶成分が残留しているため、排尿を浄化する過程で、当該排尿に対して、茶の香気を付加させることができる。茶は人為的な香りを付加するものでないことから、使用者による好みに影響されることなく、香気作用を奏させることができる。
【００２９】
そして、透水材料３１には、除去等した不純物から黄色ブドウ球菌が繁殖することを抑制する作用があるため、アンモニア臭の発生を防止することができる。
また、透水材料３１は、排尿をほとんど吸収せず、透過させるだけであるため、塊状等になったりせずに、複数回にわたって、繰り返して使用することができる。
【００３０】
（２）動物用トイレ
［動物用トイレの構成］
図２及び図３に示すように、本動物用トイレＴ１（第１実施形態）は、排尿容器１０と、当該排尿容器１０に敷設されている上記透水シートＳと、粒状吸収材３２とから構成されている。
【００３１】
ア）排尿容器１０
排尿容器１０は、合成樹脂を原材料として直方体状の箱形に形成されている。この排尿容器１０は、底部１１ａ及び周壁部１１ｂを有する中空状の容器本体１１と、当該容器本体１１の上面を塞ぐための蓋部１５から形成されており、後記する排尿口１５ｂ及び側面開口部１１ｃを除いて、所定の水密性及び気密性が保たれている。
【００３２】
蓋部１５は、容器本体１１の上面を塞ぐ形状に形成され、当該容器本体１１から容易に取り外しが可能となるように被嵌されている。また、蓋部１５は、透水シートを敷設するために所定の深さとなるように凹部１５ａが形成されており、６個の円形状の排尿口１５ｂ（排尿孔）が短手方向に２列、長手方向に３列となるように、所定間隔で穿設されている。
なお、蓋部１５は、その上部に愛玩動物が載り、排尿を行うために所定の耐久性能を有している。また、蓋部１５には、排尿が排尿口１５ｂに導かれるように、適度の傾斜が形成されている。
【００３３】
そして、蓋部１５の上面には、隙間なく、一枚の上記透水シートＳが敷設されており、排尿口１５ｂが覆われている。
【００３４】
容器本体１１の短手方向の一側面において、中間高さから下方位置には、後記収容トレイ１３（収容部材）を引き出し及び挿入するための側面開口部１１ｃが形成されている。そして、上記側面開口部１１ｃには、端部が当該側面開口部１１ｃを塞ぐ形状であり、容器本体１１の内部空間に嵌装されるよう、所定の高さ寸法を有し、上部が開口した直方体である収容トレイ１３が取出自在（移動自在）となるように設けられている。
【００３５】
この側面開口部１１ｃの口字形状の周縁部には、気密性を高めるために矩形薄板形状に形成されているビニル樹脂製又はゴム等である複数枚のカーテン材１６（介装部材）が変形自在に設けられている。このカーテン材１６は、上記収容トレイ１３が容器本体１１に嵌装されている場合には、押圧されて変形することにより、容器本体１１の内部に収納され、収容トレイ１３と側面開口部１１ｃの隙間を塞ぐ役割を果たすとともに、収容トレイ１３が外部に引き出されている際には、下向き、横向き又は上向きの形状に戻るようになっている。
【００３６】
上記収容トレイ１３には、上面が開口しており、有底で壁部を有する中空の直方体形状の処理材収容カップ２２が、短手方向に２列、長手方向に３列となるように、合計６個、隣接するカップとほぼ隙間がないように設けられている。これらの処理材収容カップ２２は、内側にポリエチレンラミネート加工が施されている紙性又はポリエチレンテレフタレート等の合成樹脂製のカップである。
なお、蓋部１５の各排尿口１５ｂは、各処理材収容カップ２２の上面の開口部のほぼ中央部に位置するように配置されている。
【００３７】
上記処理材収容カップ２２は、後記する複数の粒状吸収材３２で満たされている。上記処理材収容カップ２２は、収容トレイ１３上に固着されているのではなく、取出自在となるように載置されているため、収容トレイ１３を排尿容器本体１１から取り出し、所望の処理材収容カップ２２を取り上げて、充填されている粒状吸収材３２を容易に交換することができるようになっている。
【００３８】
なお、符合１３ａは、収容トレイ１３を外部に取り出したり、容器本体１１の内部に挿入するときに把持するための取手である。
【００３９】
上記構成により、収容トレイ１３を排尿容器１０の内部に嵌装した状態において、側面開口部１１ｃが閉塞され、底部１１ａ及び周壁部１１ｂと一体となり、所定の水密性と気密性が保たれ、臭気が外部に漏れ難い構造となっている。
【００４０】
イ）粒状吸収材３２
粒状吸収材３２は、芯部と、この芯部の表面を被覆する被覆層部とから所定形状の粒状に形成される複層構造を有しており、液体分を吸収する排尿の吸液処理材である。
【００４１】
芯部は、吸液性能を有していれば特に制限はなく、ベントナイト、ゼオライト等の無機質材料や、製紙用パルプ、ケナフ、パルプスラッジ等の有機質廃材の単体又は複数の混合物を素材とし、これらの素材に吸水性樹脂を配合したものを基材とすることができる。
但し、透水シートＳの透水材料３１と同種の構成材料（例えば、緑茶殻の場合には緑茶殻、コーヒー抽出残渣の場合は同様のコーヒー抽出残渣など）を用いれば、排尿容器１０の内部と透水シートＳの双方から同じ芳香を発生させることができる。したがって、芳香の相乗効果を発揮させることができるため、非常に好適である。
【００４２】
被覆層部は、使用時に尿等で濡れた粒状吸収材３２同士を付着させて塊状とさせ、排尿をその周囲から包み込む等の作用を奏させること主な目的としている。このような被覆層部の構成材料の例としては、吸水性樹脂又は接着性を有する材料又は両材料の混合物と、紙粉の混合物を用いることが好適である。
【００４３】
接着剤としては、例えば、糊料やポリアクリル酸ナトリウム等の高吸水性樹脂がある。このような接着剤として機能する糊料としては、馬鈴薯澱粉、小麦澱粉、甘藷澱粉、コーンスターチ、タピオカ澱粉、米澱粉、デキストリン、各アルファ（α）化した澱粉などの澱粉類、アクリルアミド、ＰＶＡ、カルボキシメチルセルロース又はアルギン酸ナトリウムを使用することができ、又はこれら二以上を組み合わせて使用することができる。また、その他の接着剤としては、高吸水性樹脂、ビニルエステル、ベントナイト、プルラン、カゼイン又はゼラチンなどがあり、これらは、単独で使用されるか、又はこれら２種以上を混合して使用される。また、アルコール溶解性の接着剤としては、ヒドロキシエチルセルロース（ＨＥＣ）、ヒドロキシプロピルセルロース（ＨＰＣ）又はポリビニルピロリドン（ＰＶＰ）などがあり、この場合も同様に、単独で使用されるか、又はこれら２種以上を混合して使用することができる。
【００４４】
［動物用トイレの作用効果］
続いて、本動物用トイレＴ１の作用効果を説明する。
まず、透水シートＳを蓋部１５の上面に敷設するとともに、収容トレイ１３の上に、粒状吸収材３２を充填した処理材収容カップ２２を敷設して、排尿容器１０にセットする。このとき、透水シートＳから発せられる茶の香気が室内空間に向けて発せられている。
【００４５】
続いて、透水シートＳの上部から愛玩動物に排尿させる。すると、排尿は個々の透水シートＳの表面シート５を透過し、隣接する透水材料３１の間を通過して下方に滴下し、その過程で、吸着作用等により排尿が浄化されて茶の香気が付加されるとともに、アンモニア臭等の悪臭が吸臭される。
そして、排尿口１５ｂを通過して、排尿容器１０の内部に滴下し、粒状吸収材３２に達する。粒状吸収材３２では、芯部が排尿を吸収するとともに、隣接する粒状吸収材３２の被覆層部が排尿により付着して塊３３となり、排尿をその周囲から包み込む等の作用を奏することになる。そのため、排尿部分を容易に確認することができる。
【００４６】
粒状吸収材３２の塊３３が増加した場合には、収容トレイ１３を引き出し、粒状吸収材３２のうち塊３３となった部分のみを取り出して廃棄する（図４参照）。そして、新しい粒状吸収材３２を補充して、収容トレイ１３を容器本体１１に嵌装することになる。
【００４７】
このように、本動物用トイレＴ１によれば、透水シートＳの奏する効果により、排尿を浄化し、アンモニア臭で代表される悪臭の発生を防止させることができる。
また、排尿容器１０は気密性を有しており、上記透水シートＳが蓋部１５の排尿口１５ｂを覆うように敷設されているため、排尿容器１０の内部から排尿の臭気が発せられた場合でも、効果的に遮断することができるとともに、透水シートＳ自身からも、茶の芳香が発せられるため香気効果を発することができる。
【００４８】
また、粒状吸収材３２は、芯部と被覆層部から構成される二層構造であり、被覆層部の作用により、被覆層部が吸液することにより塊３３となるため、当該塊３３となった部分だけを容易に除去することができる。
【００４９】
さらに、本動物用トイレＴ１において、収容トレイ１３を引き出すだけで、容器本体１１から分離可能となっているため、当該収容トレイ１３に収納されている粒状吸収材３２を容易に取り替ることができる。
【００５０】
［動物用トイレの他の実施形態］
図５に示すように、本動物用トイレＴ２の他の実施形態は、排尿容器１０と、蓋部１５に敷設されている透水シートＳと、複数枚（本実施形態では６枚）の排尿吸収シート４２（シート状吸液処理材）から構成されている。
【００５１】
本実施形態の動物用トイレＴ２は、第１実施形態の動物用トイレＴ１における処理材収容カップ２２のかわりに、排尿を吸収するための排尿吸収シート４２を敷設した点が大きく異なっている。
収容トレイ１３’には、排尿吸収シート４２の敷設を容易にするために、縦方向及び横方向に仕切部材１４が設けられている。そして、各排尿吸収シート４２は、排尿口１５ｂがほぼその中央部に位置するように、収容トレイ１３’の各区画に敷設されている。この排尿吸収シート４２も、第１実施形態の動物用トイレＴ１における処理材収容カップ２２の場合と同様に、収容トレイ１３’を容器本体１１の外部に引き出して、容易に取り替えることが可能となっている。
【００５２】
また、この排尿吸収シート４２は、排尿を吸収可能なものでれば、その種類は問わないものである。すなわち、排尿吸収シート４２は、吸液性材料を所定の厚さのシート状に形成したものであればよい。
【００５３】
本動物用トイレＴ２を使用した場合、愛玩動物の排尿は、透水シートＳによって処理されながら、蓋部１５の排尿口１５ｂから排尿吸収シート４２に流下し、吸収限界量に達するまで、当該排尿吸収シート４２に吸収されて処理されることになる。そして、排尿吸収シート４２が吸収限界量に達した場合には、第１実施形態の動物用トイレＴ１の場合と同様に、収容トレイ１３’を引き出し、所望の排尿吸収シート４２のみを交換することができる。
【００５４】
このように、本実施形態の動物用トイレＴ２を使用した場合においても、第１実施形態の動物用トイレＴ１とほぼ同様の効果を奏することができる。
また、粒状吸収材３２を用いる場合と比べて、排尿吸収シート４２の交換は容易であるため、さらに、使用後の後始末を簡易に行うことができる。
【００５５】
以上、本発明について、好適な実施形態についての一例を説明したが、本発明は当該実施形態に限られず、本発明の趣旨を逸脱しない範囲で適宜設計変更が可能である。
【００５６】
特に、透水材料として、茶殻を用いたものを例として説明したが、黄色ブドウ球菌に対する抗菌性を有している茶葉又はコーヒー抽出残渣等の構成材料を用いることができる。
また、本動物用トイレにおいて、排尿容器の形状、材質等に制限はなく、有底、周壁を有し、水密性及び気密性が保たれていればよい。そして、排尿口は、動物が排尿可能となるように開口していれば、その位置及び形状等にも制限はない。
また、排尿容器は、透明材料で形成されていれば、その内部の状況が認識可能となるため特に好適である。
【００５７】
また、透水シートは、所定の形状に分割されたものを、蓋部の上面に敷設するものであってもよい。
さらに、収容トレイに設けられている粒状吸収材は処理材収容カップ等に入っている必要はなく、また、排尿吸収シートも分割されている必要はないものである。
なお、本発明では、その名称を透水シートとしているが、透過させる液体は水に限られず、その他の液体であってもよいものである。
【実施例】
【００５８】
本発明の透水シートの効果を明かにするために抗菌力試験及びアンモニア発生試験を行った。
【００５９】
（サンプル）
表１に示す４種類の透水材料から作成される透水シートのサンプル（１２．５ｃｍ×２０ｃｍ）を作成した。
なお、比較対象資料（サンプル番号０と称する）は、下記の菌液を脱脂綿にしみ込ませたものとした。
【００６０】
【表１】
0006022744.tif 000002
【００６１】
（試験方法）
高圧蒸気滅菌（１２１℃、１５分間）したサンプル１０ｇに、黄色ブドウ球菌の菌液（１０％Nutrient Broth（ニュートリエントブロス）溶液１０ｍｌに２％尿素液を添加したもの）を滴下し、以下の試験を行った。
【００６２】
（抗菌力試験）
各サンプルを３５℃で保存し、２４時間経過時及び４８時間経過時にSCDLP培地（日本製薬株式会社製）で直ちに１０倍又は１００倍に希釈し、各サンプルの生菌数を菌数測定用培地を用いて測定した。
【００６３】
（アンモニア発生試験）
サンプルをにおい袋（２５ｃｍ×４０ｃｍ）（有限会社  ミヤコビニル加工所製）に入れ密封し、空気１リットルを注入した。そして、３５℃で保存し、２４時間経過時及び４８時間経過時におけるアンモニア濃度を検知管を用いて計測した。
【００６４】
（実験結果）
表２に示すように、尿素液を滴下した直後の黄色ブドウ球菌の生菌数は1.9×104であったが、各透水材料を使用したサンプル１乃至４に関しては、２４時間経過時及び４８時間経過時の黄色ブドウ球菌量は検出されない程度に減少した。しかし、比較対象サンプルは、黄色ブドウ球菌数は増加していることが明らかになった。
【００６５】
また、アンモニア濃度につき、サンプル１乃至４に関しては、２４時間経過時及び４８時間経過時には１ppm以下であったが、サンプル０に関しては、２００ppm又は１４０ppmという結果になった。
【００６６】
【表２】
0006022744.tif 000003
【００６７】
【表３】
0006022744.tif 000004
【００６８】
これにより、各透水材料を使用した透水シートに関し、黄色ブドウ球菌に対する抗菌作用及び殺菌作用と、アンモニアの不発生が明らかになり、その効果が明らかになった。
【符号の説明】
【００６９】
Ｓ      透水シート
５      表面シート
６      裏面シート
Ｔ１，Ｔ２      動物用トイレ
１０      排尿容器
１１      容器本体
１１ｃ    側面開口部
１３，１３’      収容トレイ
１５      蓋部
１５ａ    凹部
１５ｂ    排尿口
１６      カーテン材
２２      処理材収容カップ
３１      透水材料
３２      粒状吸収材（吸水処理材）
４２      排尿吸収シート（吸水処理材）
【図１】
0006022744.tif 000005
【図２】
0006022744.tif 000006
【図３】
0006022744.tif 000007
【図４】
0006022744.tif 000008
【図５】
0006022744.tif 000009
【図６】
0006022744.tif 000010